(57)【特許請求の範囲】
【請求項１】
回路構成体と、この回路構成体を内部に収容するケーシングと、このケーシング内を水平方向に横切る配索経路をとって配され前記回路構成体と外部コネクタとの間を電気的に接続する複数本のバスバー端子と、この複数本のバスバー端子において前記ケーシング内を水平方向に横切る水平部を下側から支持する端子支持部とを備えた電気接続箱であって、
前記端子支持部のうち前記水平部との対向面には、前記水平部に対応する位置毎に前記水平部に対し下側から当接する第１リブが突設され、前記各第１リブ間はそれぞれ下方に凹んだ第１溝部とされており、
前記第１リブのうち前記水平部と対向する面は前記水平部に当接する当接面とされており、前記当接面の幅は前記各水平部の幅寸法よりも狭く設定されており、前記当接面は前記水平部の両側縁よりも幅方向の内側の位置に配されており、
前記ケーシング内には、前記水平部を上側から押さえることによりこの水平部の傾き変位を規制する変位規制部が設けられ、この変位規制部のうち前記水平部との対向面には、前記水平部に対応する位置毎に前記水平部に対し上側から当接する第２リブが突設され、前記各第２リブ間はそれぞれ上方に凹んだ第２溝部とされており、
前記第２リブの幅は前記各水平部の幅寸法よりも狭く設定されていることを特徴とする電気接続箱。
【請求項２】
前記第１溝部の底面には、前記各第１溝部の長さ方向に沿って下る傾斜部が設けられていることを特徴とする請求項１に記載の電気接続箱。
【発明の詳細な説明】
【技術分野】
【０００１】
本発明は、電気接続箱に関するものである。
【背景技術】
【０００２】
自動車等に搭載される電気接続箱として、特許文献１に記載のものが知られている。この電気接続箱は、バスバーが接着された回路基板と、この回路基板を収納するケースとを備えている。そして、バスバーには複数本のヒューズ接続端子および信号用端子が形成されている。ヒューズ接続端子は、回路基板の上端から延出されてケース内に設けられた中間ケースの上端面に沿うように配されるとともにその先端が上向きに突出するようにされている。一方、信号用端子は、回路基板の下端から延出されて中間ケース内の底面に沿うように配されるとともにその先端が下向きに突出するようにされている。
【特許文献１】特開２００４−４０８７３公報
【発明の開示】
【発明が解決しようとする課題】
【０００３】
しかしながら、上記のような構造では、降雨や洗浄等による水滴がケース内に浸入すると、その水滴が中間ケースの上面もしくは中間ケース内の底面を濡らすことがある。すると、その上面もしくは底面に配された複数の端子同士が短絡してしまうおそれがある。特に、この複数の端子は、スペースの都合等により端子間の間隔をできるだけ狭くして配されることが多く、このような場合には前記の問題が顕著となる。
【０００４】
本発明は上記のような事情に基づいて完成されたものであって、ケース内に配された端子が水滴によって短絡するのを防ぐことを目的とする。
【課題を解決するための手段】
【０００５】
上記の目的を達成するための手段として、請求項１の発明は、回路構成体と、この回路構成体を内部に収容するケーシングと、このケーシング内を水平方向に横切る配索経路をとって配され前記回路構成体と外部コネクタとの間を電気的に接続する複数本のバスバー端子と、この複数本のバスバー端子において前記ケーシング内を水平方向に横切る水平部を下側から支持する端子支持部とを備えた電気接続箱であって、前記端子支持部のうち前記水平部との対向面には、前記水平部に対応する位置毎に前記水平部に対し下側から当接する第１リブが突設され、前記各第１リブ間はそれぞれ下方に凹んだ第１溝部とされており、前記第１リブのうち前記水平部と対向する面は前記水平部に当接する当接面とされており、前記当接面の幅は前記各水平部の幅寸法よりも狭く設定されており、前記当接面は前記水平部の両側縁よりも幅方向の内側の位置に配されており、前記ケーシング内には、前記水平部を上側から押さえることによりこの水平部の傾き変位を規制する変位規制部が設けられ、この変位規制部のうち前記水平部との対向面には、前記水平部に対応する位置毎に前記水平部に対し上側から当接する第２リブが突設され、前記各第２リブ間はそれぞれ上方に凹んだ第２溝部とされており、前記第２リブの幅は前記各水平部の幅寸法よりも狭く設定されているところに特徴を有する。
【０００６】
請求項２の発明は、請求項１に記載のものにおいて、前記第１溝部の底面には、前記各第１溝部の長さ方向に沿って下る傾斜部が設けられているところに特徴を有する。
【発明の効果】
【０００８】
＜請求項１の発明＞
請求項１の発明によれば、端子支持部において水平部との対向面には、水平部に対応する位置毎に水平部に対し下側から当接する第１リブが突設され、各第１リブ間はそれぞれ下方に凹んだ第１溝部とされている。このような構成によれば、各第１リブ間の凹み分だけ隣り合うバスバー端子の水平部間における沿面距離を稼ぐことができる。したがって、一の水平部に付着した水分が隣接する水平部に到達しにくくなり、バスバー端子間の短絡が回避される。
【０００９】
また、第１リブにおいて水平部に当接する当接面の幅は各水平部の幅寸法よりも狭くされている。ここで、第１リブの当接面がバスバー端子の水平部より外方に張り出していると、この当接面と水平部の側面（当接面に対して垂直な面）とで形成される角部に水分が溜まることがある。しかし、本発明の構成によれば、水平部の周りに角部が形成されないから、このような事態を回避できる。
また、ケーシング内に水平部を上側から押さえることによりこの水平部の傾き変位を規制する変位規制部が設けられ、この変位規制部において水平部との対向面には水平部に対応する位置毎に水平部に対し上側から当接する第２リブが突設され、各第２リブ間はそれぞれ上方に凹んだ第２溝部とされている。ここで、変位規制部において水平部との対向面が全面にわたって水平部に当接していると、水平部に付着した水分は、その面と第１溝部の底面との間の狭い隙間で押しつぶされて略水平方向に広がることになる。しかし、本発明の構成によれば、水平部に付着した水分は第２溝部の深さ分だけ上方に逃げることができるから、その分水平方向への広がりが抑えられる。したがって、隣り合う水平部間に水分が行き渡り、バスバー端子間を短絡させることを回避できる。
【００１０】
＜請求項２の発明＞
請求項２の発明によれば、第１溝部の底面には、各第１溝部の長さ方向に沿って下る傾斜部が設けられている。このような構成によれば、各第１溝部に伝わる水分は、その底面に設けられた傾斜部に誘導されて流れ落ち、端子支持部から容易に排水される。したがって、端子支持部上に水が溜まった状態となることが回避され、バスバー端子間の短絡が確実に防止される。
【発明を実施するための最良の形態】
【００１２】
以下、本発明の実施形態を図１〜図５によって説明する。
図１には、本実施形態における電気接続箱１の外観斜視図を、図２には、回路構成体１０に枠体２１と下部コネクタ４０とを組み付ける前の状態を表す斜視図を示した。
【００１３】
以下、各構成部材において、図１の左手前側（カバー３０側）を正面側、右奥側（ケース２０側）を背面側、上側を上方、下側を下方とし、また、右側を右方、左側を左方として説明する。
【００１４】
電気接続箱１は、回路基板１１とバスバー１２とを備えた回路構成体１０を、枠体２１と放熱板２２とからなるケース２０内に縦置きに収容するとともに、その正面側をカバー３０で覆ったものである。このケース２０およびカバー３０が本発明のケーシングを構成している。
【００１５】
回路構成体１０を構成している回路基板１１は、図２に示すように、全体として長方形の板状をなし、その下端縁のうち略左半分の領域は上端縁に対して斜めをなす傾斜縁部１１Ｓとされている。この回路基板１１の正面には、制御回路を構成する導体パターン（図示せず）が形成されているとともに、リレー等のスイッチング部材１３が実装されている。
【００１６】
この回路基板１１の背面にはバスバー１２が接着されている。バスバー１２は、導電性に優れた金属板を打ち抜いて形成され、電力回路となる所定の導電路を形成している。このバスバー１２は、回路基板１１とほぼ整合した外形形状に形成され、その上縁および下縁には、外部回路接続用端子となる複数本のバスバー端子１４,１５が突設されている。この複数本のバスバー端子１４,１５のうち、回路基板１１の上縁に沿って並列している複数本の上側バスバー端子１４は、その右端の１本を除き、回路基板１１に対して略直角をなして正面側に立ち上がる、すなわち回路基板１１から水平方向に延出する水平部１４Ａと、この水平部１４Ａの延出端から上方へ向けて回路基板１１とほぼ平行に延びる接続部１４Ｂとから構成されている。一方、回路基板１１の下縁において傾斜縁部１１Ｓよりも右側の領域、つまり上縁と略平行な領域に沿って並列している複数本の下側バスバー端子１５は、回路基板１１から水平方向に延出する水平部１５Ａと、この水平部１５Ａの延出端から下方へ向けて回路基板１１とほぼ平行に延びる接続部１５Ｂとから構成されている。この複数本の上側バスバー端子１４および下側バスバー端子１５は、スペースの都合等によりできるだけ狭い間隔で配されている。
【００１７】
回路構成体１０を収容するケース２０は枠体２１と放熱板２２とを備えている。図３には、枠体２１の斜視図を示した。
【００１８】
枠体２１は合成樹脂等の絶縁材料により、回路基板１１の周縁のうち下縁および左右両縁に沿うように形成され、全体として「コ」字形をなす。詳しくは、この枠体２１は、回路基板１１の傾斜縁部１１Ｓに沿う傾斜枠部２１Ｓと、回路基板１１の下縁のうち傾斜縁部１１Ｓよりも右方の領域に沿う下枠部２１Ｂと、回路基板１１の左右両縁に沿う左右両枠部２１Ｌ,２１Ｒとを備えている。
【００１９】
この枠体２１の上部には、左右両枠部２１Ｌ,２１Ｒを連結した形態の連結部２３が設けられている（図２を併せて参照）。この連結部２３は、左右両枠部２１Ｌ,２１Ｒの上端よりもやや下側位置に配されている。連結部２３は四角柱状をなし、その上面は水平部１４Ａの下面において回路基板１１寄りの部分に当接することで水平部１４Ａを支持している（図４を併せて参照）。また、この連結部２３において回路基板１１側とは反対側の面、つまり正面にはフランジ部２４が設けられている。このフランジ部２４は、正面の上下方向ほぼ真中位置において連結部２３の長さ方向に沿って設けられ、正面側に向かって張り出されている。また、この連結部２３の正面には、板面方向が連結部２３の長さ方向に対し略直交方向をなす板状の補強部２５が複数形成されている。この補強部２５は、連結部２３において上側バスバー端子１４の水平部１４Ａに対応する位置毎に設けられている。そして、各補強部２５の上面は連結部２３の上面と面一とされている。なお、各補強部２５の板厚は、各水平部１４Ａの幅寸法より薄くされている。
【００２０】
この枠体２１には、放熱板２２が装着されている。放熱板２２は熱伝導率の高い金属により、回路基板１１よりも一回り大きく形成されている（図２を併せて参照）。この放熱板２２は、枠体２１に対してその背面側の開口を塞ぐように組み付けられているとともに、バスバー１２の背面に絶縁性の接着剤を介して貼付されている。また、この放熱板２２の上縁からは、背面側上方へ段差上に延出した取付片２６が形成されている。電気接続箱１は、この取付片２６を介し、後述する下部コネクタ４０を下方に向けた縦向きの姿勢で車両パネルに取り付けられる。
【００２１】
ケース２０の正面側の開口を覆うように装着されているカバー３０は合成樹脂製であって、全体として回路基板１１とほぼ同じ形状をなすとともに回路基板１１の正面側を覆う板状の蓋板部３１と、この蓋板部３１の左右両端縁に沿って背面側へ立ち上げられた側壁部３２とを備え、全体として背面側に開口する浅皿状に形成されている（図１を併せて参照）。カバー３０の上面および下面は開口されており、上面側の開口にはヒューズボックス（図示せず）が取り付けられ、このヒューズボックス内に上側バスバー端子１４の接続部１４Ｂが下方から挿入されるようになっている。また、下面側の開口には下部コネクタ４０が取り付けられている。
【００２２】
図４には、本実施形態における電気接続箱１の側断面図を示した。
カバー３０の下方に組み付けられている下部コネクタ４０は、横長で下面側に開口した合成樹脂製のハウジング４１を備え、下方から外部コネクタを嵌合することができるようになっている。この下部コネクタ４０は、下側バスバー端子１５の水平部１５Ａの下側に備えられ、ハウジング４１の天井部４２（本発明の端子支持部に該当する）によって水平部１５Ａを下側から支持するようになっている。この天井部４２の上面４４（水平部１５Ａとの対向面）には、水平部１５Ａに対応する位置毎に第１リブ４５（詳細は後ほど説明する）が設けられており、各水平部１５Ａはこの第１リブ４５の上面に沿うようにして配されている。また、天井部４２において各水平部１５Ａの接続部１５Ｂに対応する位置には、上下方向に貫通する貫通孔４３が設けられ、接続部１５Ｂはこの貫通孔４３を貫通してハウジング４１内に収容されている。なお、下部コネクタ４０の左右両側面には、この下部コネクタ４０を枠体２１に固定するための取付け部４６が設けられている。
【００２３】
この下部コネクタ４０の上方位置には、防水壁５０が設けられている（図２および図３を併せて参照）。この防水壁５０は、枠体２１の下枠部２１Ｂと略平行をなす板状とされ、その左右両側には防水壁５０と枠体２１とを連結する繋ぎ部５１が設けられている。詳しくは、この繋ぎ部５１は、枠体２１における右枠部２１Ｒの下端に近い位置と防水壁５０の右端とを、また傾斜枠部２１Ｓのほぼ中央位置と防水壁５０の左端とをそれぞれ連結している。防水壁５０の幅は、複数の下側バスバー端子１５の水平部１５Ａが配設されている領域および下部コネクタ４０の幅よりも左右にわずかに広くされている。また、この防水壁５０のカバー３０側の端縁は蓋板部３１の背面近くまで達し、一方、回路構成体１０側の端縁は、回路基板１１の正面を被覆しているポッティング材（図示せず）に埋め込まれている。防水壁５０の上面は、左右方向のほぼ中心位置を山の頂点として左右両端側に向かって下方に傾斜するテーパ面５２とされている。この防水壁５０の左右両端には防水側壁部５３が垂下され、その下端部は下部コネクタ４０の天井部４２に至る位置まで延設されている。この防水側壁部５３は、下部コネクタ４０の上面に並列されている下側バスバー端子１５の水平部１５Ａのうち最も外側に配された水平部１５Ａの側方を覆っている。また、カバー３０側の端縁には、上方に突設された止水壁５４が備えられ、この止水壁５４は、後述するカバー３０の背面に設けられた誘導片３３の下面にほぼ当接する位置まで突出されている。この止水壁５４は、防水壁５０の左右全幅にわたって形成されている。
【００２４】
この防水壁５０の下部には、変位規制部５５が防水壁５０と一体的に設けられている。この変位規制部５５は、水平部１５Ａを上側から押さえることにより、ハウジング４１への外部コネクタの嵌合に伴って水平部１５Ａが上方へ変位するのを防止している。変位規制部５５は、左右方向の幅が水平部１５Ａが並列されている範囲にわたる板状をなし、その左右方向幅における略中央部と枠体２１の下枠部２１Ｂとの間には架橋部５６が差し渡されている。そして、変位規制部５５の下面５７（水平部１５Ａとの対向面）には、各水平部１５Ａに対応する位置毎に第２リブ５８が設けられ、この第２リブ５８の下面が各水平部１５Ａに対し上側から当接している。この第２リブ５８については第１リブ４５と併せて後ほど詳しく説明する。
【００２５】
なお、カバー３０の背面において止水壁５４の上方には、誘導片３３が設けられている。この誘導片３３は、蓋板部３１の背面から背面側方向に向けて突出され、その突出端は止水壁５４の上方をやや背面側方向に越えた位置に達している。この誘導片３３の上面は、誘導片３３の突出端側に向かって下方に傾斜する誘導面３４とされている。
【００２６】
さて、前述した第１リブ４５および第２リブ５８について詳しく説明する。図５には、下側バスバー端子１５の水平部１５Ａが第１リブ４５と第２リブ５８とによって挟まれた状態を表す部分拡大断面図を示した。
【００２７】
第１リブ４５は、それぞれ下部コネクタ４０の上面４４から上方に突設され、各水平部１５Ａに対し下側から当接している。そして、各第１リブ４５の左右方向（水平部１５Ａの並列方向に沿う方向）幅は、各水平部１５Ａの左右方向幅よりも狭くされている。これにより、各第１リブ４５において水平部１５Ａに当接している当接面４７の左右方向幅は、各水平部１５Ａの左右方向幅よりも狭くなっている。
【００２８】
また、各第１リブ４５間は、それぞれ第１リブ４５の突出高さ分だけ当接面４７より下方に凹んだ第１溝部４８となっている。この各第１溝部４８の底面４９には、各第１溝部４８の長さ方向、言い換えると各第１リブ４５の長さ方向に沿って傾斜する傾斜部４９Ａが設けられている。この傾斜部４９Ａは、回路基板１１側に向かって下っている。
【００２９】
一方、第２リブ５８は、それぞれ変位規制部５５の下面５７から下方に突設され、各水平部１５Ａに対し上側から当接している。各第２リブ５８は、図３に示すように、それぞれ各水平部１５Ａの延出方向に沿う細長い形状をなし、その左右方向（水平部１５Ａの並列方向に沿う方向）幅は各水平部１５Ａの左右方向幅よりも幅狭に形成されている。また、各第２リブ５８間は、それぞれ第２リブ５８の突出高さ分だけ第２リブ５８の下面よりも上方に凹んだ第２溝部５９とされている。
【００３０】
次に、上記のように構成された本実施形態の作用および効果について説明する。
降雨や車両の洗浄等によって電気接続箱１内に水滴が浸入すると、その水滴が、下部コネクタ４０の上面４４に至り、水平部１５Ａ周辺に付着してしまうことがある。
【００３１】
一の水平部１５Ａ周辺に付着した水滴は、下部コネクタ４０の上面に沿って隣接する水平部１５Ａの方へ伝わっていく。ここで、水平部１５Ａ間に第１溝部４８がない場合、この水平部１５Ａ周辺に付着した水滴は、天井部４２の上面４４を水平方向に広がることになるから隣りに配されている水平部１５Ａに達しやすい。特に、スペースの都合等により下側バスバー端子１５間ができるだけ狭く配されている場合においては、水平部１５Ａ間の沿面距離は十分に確保されず、少量の水分が付着しただけであっても隣り合う下側バスバー端子１５が短絡してしまう可能性がある。しかし、本実施形態では、各第１リブ４５間の凹み分だけ水平部１５Ａ間における沿面距離を稼ぐことができるから、一の水平部１５Ａ周辺に付着した水分が隣接する水平部１５Ａに到達しにくくなり、下側バスバー端子１５間の短絡が回避される。
【００３２】
また、第１リブ４５が水平部１５Ａより幅広に形成され、当接面４７が水平部１５Ａより幅方向外側に張り出していると、この当接面４７と水平部１５Ａの側面（当接面４７に対して垂直な面）とによって水平部１５Ａの周りに角部が形成され、この角部に水分が溜まることがある。しかし、本実施形態においては、第１リブ４５の当接面４７の左右方向幅は、各水平部１５Ａの左右方向幅よりも狭くされており、水平部１５Ａの周りに角部が形成されないから、このような事態は回避される。
【００３３】
さらに、第１溝部４８に落下した水滴は、その底面４９に設けられている傾斜部４９Ａによって第１溝部４８における回路基板１１側の端縁、つまり下部コネクタ４０の上面４４における背面側の縁部に導かれ、そこから下部コネクタ４０の背面側へ流れ落ちる。こうして水滴は、第１溝部４８の底面４９から容易に排水されるから、第１溝部４８、つまり水平部１５Ａ間に水滴が溜まることはなく、確実に下側バスバー端子１５間の短絡を防止できる。
【００３４】
また、変位規制部５５の下面５７には第２リブ５８が設けられ、各第２リブ５８間はそれぞれ上方に凹んだ第２溝部５９とされている。ここで、変位規制部５５の下面５７が第２溝部５９のないべた面であって、全面にわたって水平部１５Ａの上面に当接していると、水平部１５Ａ周辺に付着した水滴は、その下面５７と第１溝部４８の底面４９との間で押しつぶされつつその狭い隙間を水平方向に広がることになる。しかし、本実施形態によれば、水平部１５Ａ周辺に付着した水滴は第２溝部５９の深さ分だけ上方に逃げることができるから、その分水平方向への広がりが抑えられる。したがって、隣り合う水平部１５Ａ間に水滴が行き渡り、下側バスバー端子１５間を短絡させることを確実に回避できる。
【００３５】
以上説明したように本実施形態によれば、下部コネクタ４０の天井部４２の上面４４には、下側バスバー端子１５の水平部１５Ａに対応する位置毎に、各水平部１５Ａに対し下側から当接する第１リブ４５が突設され、各第１リブ４５間はそれぞれ下方に凹んだ第１溝部４８とされている。これにより、各第１リブ４５間の凹み分だけ隣り合う下側バスバー端子１５の水平部１５Ａ間における沿面距離を稼ぐことができる。したがって、一の水平部１５Ａに付着した水滴が隣接する水平部１５Ａに到達しにくくなり、下側バスバー端子１５間の短絡が回避される。
【００３６】
さらに、第１溝部４８の底面４９には、各第１溝部４８の長さ方向に沿って下る傾斜部４９Ａが設けられている。これにより、各第１溝部４８に伝わる水滴は、その底面４９に設けられた傾斜部４９Ａに誘導されて流れ落ち、下部コネクタ４０の天井部４２から容易に排水される。したがって、この天井部４２上に水が溜まった状態となることが回避され、下側バスバー端子１５間の短絡が確実に防止される。
【００３７】
また、変位規制部５５の下面５７には、水平部１５Ａに対応する位置毎に各水平部１５Ａに対し上側から当接する第２リブ５８が突設され、各第２リブ５８間はそれぞれ上方に凹んだ第２溝部５９とされている。これにより、水平部１５Ａに付着した水滴は、変位規制部５５の下面５７と第１溝部４８の底面４９との間の狭い隙間で押しつぶされることなく、第２溝部５９の深さ分だけ上方に逃げることができるから、その分水平方向への広がりが抑えられる。したがって、隣り合う水平部１５Ａ間に水分が行き渡り、下側バスバー端子１５間を短絡させることを回避できる。
【００３８】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００３９】
（１）上記実施形態では、バスバー１２の下端縁に並列されている下側バスバー端子１５に対して当接する部材に第１リブ４５および第２リブ５８を設けることにより隣り合う下側バスバー端子１５の水平部１５Ａ間における沿面距離を稼いだが、バスバー端子はケース内を水平方向に横切る配索経路をとるものであればバスバーのどの部分に並列されているものであっても構わず、例えば、バスバーの上端縁に並列されているバスバー端子に対して当接する部材に第１リブもしくは第２リブを設けることにより、その隣り合うバスバー端子間における沿面距離を稼ぐこともできる。
【００４０】
（２）上記実施形態では、下部コネクタ４０の天井部４２および変位規制部５５に第１リブ４５および第２リブ５８を設けることにより隣り合う下側バスバー端子１５の水平部１５Ａ間における沿面距離を稼いだが、第１リブおよび第２リブを設ける部材は下部コネクタもしくは変位規制部に限らず、バスバー端子の水平部に対して下側もしくは上側から当接する部材であればどのような部材でもよい。
【００４１】
（３）上記実施形態では、各第１リブ４５の左右方向幅は各水平部１５Ａの左右方向幅よりも狭くされているが、これに限らず、各第１リブの当接面の左右方向幅が各水平部の左右方向幅よりも狭くなっていればよく、例えば第１リブは、その下端にかけて徐々に左右方向幅が広がる形状とされ、その下端部が水平部の左右方向幅より広くなっていてもよい。
【図面の簡単な説明】
【００４２】
【図１】本実施形態における電気接続箱の外観斜視図
【図２】回路構成体に枠体と下部コネクタとを組み付ける前の状態を表す斜視図
【図３】枠体の斜視図
【図４】本実施形態における電気接続箱の側断面図
【図５】下側バスバー端子の水平部が第１リブと第２リブとによって挟まれた状態を表す部分拡大断面図
【符号の説明】
【００４３】
１…電気接続箱
１０…回路構成体
１５…下側バスバー端子（バスバー端子）
１５Ａ…水平部
２０…ケース（ケーシング）
３０…カバー（ケーシング）
４２…天井部（端子支持部）
４４…上面（水平部との対向面）
４５…第１リブ
４７…当接面
４８…第１溝部
４９…底面
４９Ａ…傾斜部
５５…変位規制部
５７…下面（水平部との対向面）
５８…第２リブ
５９…第２溝部
【図１】
0004657025.tif 000002
【図２】
0004657025.tif 000003
【図３】
0004657025.tif 000004
【図４】
0004657025.tif 000005
【図５】
0004657025.tif 000006